(57)【特許請求の範囲】
【請求項１】
外筒の中に嵌挿した内筒を、コイルばねで上下に変位するように懸吊して、前記内筒の下端側に鉤を連結し、この鉤に吊り下げられる釣獲物の重さを、前記内筒の上下変位量で測定する釣用ばねばかりにおいて、前記内筒の下端側に延長筒を連結して、前記鉤をこの延長筒に下端側から出し入れ可能に収納し、下端側から出される鉤を抜け止めするとともに、前記延長筒に収納された鉤を係止する手段を設けたことを特徴とする釣用ばねばかり。
【請求項２】
前記延長筒に収納された鉤を、延長筒の下端側から押し出すように付勢する手段を設けた請求項１に記載の釣用ばねばかり。
【請求項３】
前記延長筒に収納された鉤を係止する手段が、前記鉤の基部に外側へ拡がるように付勢された爪を設け、前記延長筒の筒面に、前記鉤が収納された位置で、前記付勢された爪が内側から嵌まり込んで係止される係止孔を設けたものである請求項１または２に記載の釣用ばねばかり。
【請求項４】
前記係止孔に嵌まり込む爪が、前記延長筒の外径面から突出しないようにした請求項３に記載の釣用ばねばかり。
【請求項５】
前記爪と係止孔の組み合わせを複数組設けた請求項３または４に記載の釣用ばねばかり。
【請求項６】
前記外筒の上端側から、獲物締め具および釣針矯正具の釣用小道具の少なくともいずれかを収納可能とした請求項１乃至５のいずれかに記載の釣用ばねばかり。
【発明の詳細な説明】
【技術分野】
【０００１】
本発明は、烏賊や魚等の釣獲物の重さを測定する釣用ばねばかりに関する。
【背景技術】
【０００２】
烏賊や魚等の釣獲物の重さを、釣ったその場で測定する際には、外筒の中に嵌挿した内筒を、コイルばねで上下に変位するように懸吊して、内筒の下端側に鉤を連結した釣用ばねばかりが多く用いられている（例えば、特許文献１参照）。特許文献１の第４図に記載された例は、釣った魚を籠に入れてばねばかりの鉤に吊り下げているが、ばねばかりの鉤の先端を尖らせ、釣獲物を直接鉤に引っ掛けて重さを測定するものもある。特に、烏賊釣りの場合は、このように鉤の先端を尖らせた釣用ばねばかりを用いている。
【０００３】
このような釣用ばねばかりは、釣った釣獲物の重さを直ぐに測定できるように、腰ベルト等に吊り具で吊り下げて釣人に携帯されることがあり、特に、烏賊釣りの場合は、獲物のサイズよりも重さで手柄を競うので、釣人は釣用ばねばかりを携帯することが多い。
【０００４】
【特許文献１】実公平４−４１３０３号公報（第４図）
【発明の開示】
【発明が解決しようとする課題】
【０００５】
特許文献１に記載されたような従来の釣用ばねばかりは、鉤が外部に露出しているので、携帯時に鉤が周囲の人や物を引っ掛けることがある。特に、鉤の先端を尖らせたものは、釣人本人を含めて人や物を傷つける恐れもある。
【０００６】
そこで、本発明の課題は、携帯時に鉤が人や物を引っ掛けたり、傷つけたりする恐れのない釣用ばねばかりを提供することである。
【課題を解決するための手段】
【０００７】
上記の課題を解決するために、本発明は、外筒の中に嵌挿した内筒を、コイルばねで上下に変位するように懸吊して、前記内筒の下端側に鉤を連結し、この鉤に吊り下げられる釣獲物の重さを、前記内筒の上下変位量で測定する釣用ばねばかりにおいて、前記内筒の下端側に延長筒を連結して、前記鉤をこの延長筒に下端側から出し入れ可能に収納し、下端側から出される鉤を抜け止めするとともに、前記延長筒に収納された鉤を係止する手段を設けた構成を採用した。
【０００８】
すなわち、内筒の下端側に延長筒を連結して、鉤をこの延長筒に下端側から出し入れ可能に収納し、下端側から出される鉤を抜け止めするとともに、延長筒に収納された鉤を係止する手段を設けることにより、携帯時に鉤を延長筒に収納し、鉤が人や物を引っ掛けたり、傷つけたりする恐れのないようにした。
【０００９】
前記延長筒に収納された鉤を、延長筒の下端側から押し出すように付勢する手段を設けることにより、使用時に鉤の係止手段を解除するのみで、収納された鉤を容易に押し出すことができる。
【００１０】
前記延長筒に収納された鉤を係止する手段を、前記鉤の基部に外側へ拡がるように付勢された爪を設け、前記延長筒の筒面に、前記鉤が収納された位置で、前記付勢された爪が内側から嵌まり込んで係止される係止孔を設けたものとすることにより、使用時は、係止孔に嵌まり込んだ爪を内側へ押し込むのみで容易に係止を解除することができ、使用後は、鉤を延長筒に押し込むのみで容易に収納位置で係止することができる。
【００１１】
前記係止孔に嵌まり込む爪が、前記延長筒の外径面から突出しないようにすることにより、不作為による係止手段の解除を防止することができる。
【００１２】
前記爪と係止孔の組み合わせを複数組設けることにより、勘違い等の誤操作による係止手段の解除を防止することができる。
【００１３】
前記外筒の上端側から、獲物締め具および釣針矯正具の釣用小道具の少なくともいずれかを収納可能とすると、好便である。特に烏賊釣りの場合は、釣った烏賊をその場で締めることが多く、釣針としての餌木の針も曲がり易いので、好便である。
【発明の効果】
【００１４】
本発明の釣用ばねばかりは、コイルばねで懸吊された内筒の下端側に延長筒を連結して、鉤をこの延長筒に下端側から出し入れ可能に収納し、下端側から出される鉤を抜け止めするとともに、延長筒に収納された鉤を係止する手段を設けることにより、携帯時に鉤を延長筒に収納するようにしたので、鉤が人や物を引っ掛けたり、傷つけたりする恐れのないようにすることができる。
【００１５】
前記延長筒に収納された鉤を、延長筒の下端側から押し出すように付勢する手段を設けることにより、使用時に鉤の係止手段を解除するのみで、収納された鉤を容易に押し出すことができる。
【００１６】
前記延長筒に収納された鉤を係止する手段を、鉤の基部に外側へ拡がるように付勢された爪を設け、延長筒の筒面に、鉤が収納された位置で、付勢された爪が内側から嵌まり込んで係止される係止孔を設けたものとすることにより、使用時は、係止孔に嵌まり込んだ爪を内側へ押し込むのみで容易に係止を解除することができ、使用後は、鉤を延長筒に押し込むのみで容易に収納位置で係止することができる。
【００１７】
前記係止孔に嵌まり込む爪が、延長筒の外径面から突出しないようにすることにより、不作為による係止手段の解除を防止することができる。
【００１８】
前記爪と係止孔の組み合わせを複数組設けることにより、勘違い等の誤操作による係止手段の解除を防止することができる。
【発明を実施するための最良の形態】
【００１９】
以下、図面に基づき、本発明の実施形態を説明する。この釣用ばねばかりは、主として烏賊釣りに用いられるものであり、図１に示すように、外筒１の中に嵌挿された内筒２が、コイルばね３で上下に変位するように懸吊され、内筒２の下端側に連結された延長筒４に、先端の尖った鉤５が下端側から出し入れ可能に収納されている。
【００２０】
前記外筒１は金属で形成され、外周をゴム製のカバー１ａで覆われて、上端部に樹脂製の口金部材１ｂが取り付けられており、この口金部材１ｂに、腰ベルト等に吊り下げるためのカラビナ６が取り付けられるとともに、金属製で中空の心材７が外筒１の中心に垂下されるように取り付けられている。心材７の中には釣獲物の締め具８が収納され、その把手部８ａが心材７の上端開口部に螺着されている。把手部８ａの締め具８と反対側には、餌木等の釣針の曲がりを矯正するＬ字状の矯正具９も取り付けられている。
【００２１】
前記内筒２も金属製とされ、上端部に口絞りで縮径部２ａが形成されている。この縮径部２ａの内側下面と、外筒１の心材７の下端に取り付けられた座部材７ａの外周部上面をばね座として、心材７と内筒２の間にコイルばね３が装着されており、内筒２は釣獲物の重さによるコイルばね３の変形で上下に変位する。内筒２の外径面には、図３に示すように、外筒１の下端縁を基準とし、上下の変位量を釣獲物の重さに換算した目盛１０が印刷されている。
【００２２】
図２（ａ）、（ｂ）に示すように、前記鉤５は樹脂製の基部５ａに取り付けられており、楕円形断面の基部５ａに、楕円短径の両側で外側へ拡がるように付勢された２つの縦長の爪１１が設けられるとともに、基部５ａの上端部に鍔１２が設けられ、その上面の中心に円形断面の凸部１３が形成されている。各爪１１の外面は縦向きの円弧面で形成され、これらの縦向きの円弧面の下側に顎部１１ａが形成されている。
【００２３】
前記延長筒４は樹脂製の上筒部４ａと金属製の下筒部４ｂとで形成されており、上筒部４ａがピン１４で内筒２の下端側に連結され、下筒部４ｂに鉤５が収納されている。上筒部４ａは、鉤５の基部５ａの各爪１１が嵌まり込んで顎部１１ａで係止される縦長の係止孔１５が１８０°の位相で対向するように設けられるとともに、鉤５の各爪１１を通し、楕円形断面の基部５ａを回り止めしてガイドするガイド孔１６を有する底が設けられている。鉤５は基部５ａの鍔１２によって上筒部４ａの底に抜け止めされ、各係止孔１５に内側から嵌まり込んだ爪１１は、上筒部４ａの外径面から突出しないようになっている。
【００２４】
また、前記連結された内筒２と上筒部４ａの中には、図１に示したように、心材７の下端に取り付けられた座部材７ａの下面と、基部５ａの鍔１２の凸部１３の周りの上面をばね座とするコイルばね１７が組み込まれ、このコイルばね１７によって、下筒部４ｂに収納された鉤５が下方へ付勢されている。したがって、釣用ばねばかりの使用時に、上筒部４ａの各係止孔１５に嵌まり込んだ爪１１を内側へ押し込むのみで、収納された鉤５が下筒部４ｂの下端側から押し出され、その基部５ａの鍔１２が上筒部４ａの底に押し当てられて、抜け止めされる。使用後は、外筒１を持って鉤５を下筒部４ｂへ押し込むことにより、再び各爪１１が係止孔１５に嵌まり込んで係止され、鉤５が飛び出さないように収納される。
【００２５】
図３は、前記鉤５を延長筒４の下筒部４ｂから押し出して、釣獲物としての烏賊Ａの重さを測定する状態を示す。尖った鉤５の先端に引っ掛けられた烏賊Ａの重さによって前記コイルばね３が変形し、延長筒４を介して鉤５に連結された内筒２が下方へ変位している。釣り人は外筒１の下端縁に来る内筒２の外径面の目盛１０を読み取ることにより、烏賊Ａの重さを測定することができる。
【００２６】
上述した実施形態では、外筒の中に嵌挿した内筒を、その上端縮径部と、外筒の中心に垂下した心材の下端に取り付けた座部材とをばね座とするコイルばねで懸吊したが、コイルばねによる内筒の懸吊の仕方は、実施形態のものに限定されることはなく、一般的なばねばかりのように、内筒がコイルばねの変形によって上下に変位するものであればよい。
【図面の簡単な説明】
【００２７】
【図１】釣用ばねばかりの実施形態を示す縦断面図
【図２】ａは図１の延長筒部を示す縦断面図、ｂはａのIIb−IIb線に沿った断面図
【図３】図１の釣用ばねばかりで烏賊の重さを測定する状態を示す正面図
【符号の説明】
【００２８】
１  外筒
１ａ  カバー
１ｂ  口金部材
２  内筒
２ａ  縮径部
３  コイルばね
４  延長筒
４ａ  上筒部
４ｂ  下筒部
５  鉤
５ａ  基部
６  カラビナ
７  心材
７ａ  座部材
８  締め具
８ａ  把手部
９  矯正具
１０  目盛
１１  爪
１１ａ  顎部
１２  鍔
１３  凸部
１４  ピン
１５  係止孔
１６  ガイド孔
１７  コイルばね
【図１】
0005048456.tif 000002
【図２】
0005048456.tif 000003
【図３】
0005048456.tif 000004